【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
変動表示の開始条件が成立したことにもとづいて、各々を識別可能な複数種類の識別情報を変動表示する可変表示装置を備え、前記可変表示装置における識別情報の表示結果があらかじめ定められた特定表示結果となったときに、遊技者にとって有利な有利状態に制御する遊技機であって、
遊技者が操作可能な操作手段と、
前記有利状態に制御するか否かを、前記識別情報の表示結果が導出表示される以前に決定する事前決定手段と、
前記有利状態となる可能性を、遊技機に設けられている演出装置における演出態様を前記操作手段に対する操作に応じて変化させることによって予告報知する操作対応予告報知を実行する演出態様制御手段とを備え、
前記演出態様制御手段は、前記操作対応予告報知を開始してから終了するまでの報知期間内の特定期間では、演出態様の変化の程度を、該報知期間内の他の期間における演出態様の変化の程度と異ならせる
ことを特徴とする遊技機。
【請求項２】
変動表示の開始条件が成立したことにもとづいて、各々を識別可能な複数種類の識別情報を変動表示する可変表示装置を備え、前記可変表示装置における識別情報の表示結果があらかじめ定められた特定表示結果となったときに、遊技者にとって有利な有利状態に制御する遊技機であって、
遊技者が操作可能な操作手段と、
前記有利状態に制御するか否かを、前記識別情報の表示結果が導出表示される以前に決定する事前決定手段と、
前記有利状態となる可能性を、遊技機に設けられている演出装置における演出態様を前記操作手段に対する操作に応じて変化させることによって予告報知する操作対応予告報知を実行する演出態様制御手段とを備え、
前記演出態様制御手段は、前記演出装置における演出態様に応じて、前記操作手段が操作されたときの演出態様を変化させる確率を異ならせる
ことを特徴とする遊技機。
【請求項３】
変動表示の開始条件が成立したことにもとづいて、各々を識別可能な複数種類の識別情報を変動表示する可変表示装置を備え、前記可変表示装置における識別情報の表示結果があらかじめ定められた特定表示結果となったときに、遊技者にとって有利な有利状態に制御する遊技機であって、
遊技者が操作可能な操作手段と、
前記有利状態に制御するか否かを、前記識別情報の表示結果が導出表示される以前に決定する事前決定手段と、
前記有利状態となる可能性を、遊技機に設けられている演出装置における演出態様を前記操作手段に対する操作に応じて変化させることによって予告報知する操作対応予告報知を実行する演出態様制御手段とを備え、
前記演出態様制御手段は、前記事前決定手段が前記有利状態に制御することに決定している場合と前記有利状態に制御しないことに決定している場合とで最終演出可能態様が同じであっても、変化開始時の演出態様から最終演出可能態様までの演出態様の変化の過程を異ならせる
ことを特徴とする遊技機。
【請求項４】
変動表示の開始条件が成立したことにもとづいて、各々を識別可能な複数種類の識別情報を変動表示する可変表示装置を備え、前記可変表示装置における識別情報の表示結果があらかじめ定められた特定表示結果となったときに、遊技者にとって有利な有利状態に制御する遊技機であって、
遊技者が操作可能な操作手段と、
前記有利状態に制御するか否かを、前記識別情報の表示結果が導出表示される以前に決定する事前決定手段と、
前記有利状態となる可能性を、遊技機に設けられている演出装置における演出態様を前記操作手段に対する操作に応じて変化させることによって予告報知する操作対応予告報知を実行する演出態様制御手段とを備え、
前記操作対応予告報知を開始してから終了するまでの報知期間は、第１期間と、第２期間と、第１期間および第２期間以外の期間とを含み、
前記演出態様制御手段は、前記第１期間では、演出態様の変化の程度を、前記第１期間および第２期間以外の期間における演出態様の変化の程度に比べて小さくし、前記第２期間では、演出態様の変化の程度を、前記第１期間における演出態様の変化の程度に比べて大きくする
ことを特徴とする遊技機。
【手続補正２】
【補正対象書類名】明細書
【補正対象項目名】００２４
【補正方法】変更
【補正の内容】
【００２４】
また、特定期間は、操作対応予告報知を終了する所定期間前の時点から、操作対応予告報知を終了する時点までの期間であり、演出態様制御手段が、特定期間では、演出態様の変化の程度を、報知期間内の他の期間における演出態様の変化の程度よりも大きくするように構成すれば、報知期間における最終期間において演出態様の変化の程度が大きくなり、操作対応予告報知を終了する時点まで、操作対応予告報知による遊技の興趣を持続させることができる。
【手続補正３】
【補正対象書類名】明細書
【補正対象項目名】００２５
【補正方法】変更
【補正の内容】
【００２５】
請求項２記載の発明では、遊技機を、有利状態に制御するか否かを、識別情報の表示結果が導出表示される以前に決定する事前決定手段と、有利状態となる可能性を、遊技機に設けられている表示装置における演出態様を操作手段に対する操作に応じて変化させることによって予告報知する操作対応予告報知を実行する演出態様制御手段とを備え、演出態様制御手段が、演出装置における演出態様に応じて、操作手段が操作されたときの演出態様を変化させる確率を異ならせるように構成したので、操作にもとづく演出態様の変化は画一的ではなく、遊技者の操作手段の操作に対する興味を高めて遊技の興趣を向上させることができる。
【手続補正４】
【補正対象書類名】明細書
【補正対象項目名】００２６
【補正方法】変更
【補正の内容】
【００２６】
請求項３記載の発明では、遊技機を、有利状態に制御するか否かを、識別情報の表示結果が導出表示される以前に決定する事前決定手段と、有利状態となる可能性を、遊技機に設けられている演出装置における演出態様を操作手段に対する操作に応じて変化させることによって予告報知する操作対応予告報知を実行する演出態様制御手段とを備え、演出態様制御手段が、事前決定手段が有利状態に制御することに決定している場合と有利状態に制御しないことに決定している場合とで最終演出可能態様が同じであっても、変化開始時の演出態様から最終演出可能態様までの演出態様の変化の過程を異ならせるように構成したので、最終表示可能態様が同じであっても、有利状態になる可能性の高低に応じた操作対応予告報知を行うことができ、遊技者の操作手段の操作に対する興味を高めて遊技の興
趣を向上させることができる。
【手続補正５】
【補正対象書類名】明細書
【補正対象項目名】００２７
【補正方法】変更
【補正の内容】
【００２７】
請求項４記載の発明では、遊技機を、有利状態に制御するか否かを、識別情報の表示結果が導出表示される以前に決定する事前決定手段と、有利状態となる可能性を、遊技機に設けられている演出装置における演出態様を操作手段に対する操作に応じて変化させることによって予告報知する操作対応予告報知を実行する演出態様制御手段とを備え、操作対応予告報知を開始してから終了するまでの報知期間は、第１期間と、第２期間と、第１期間および第２期間以外の期間とを含み、演出態様制御手段が、第１期間では、演出態様の変化の程度を、第１期間および第２期間以外の期間における演出態様の変化の程度に比べて小さくし、第２期間では、演出態様の変化の程度を、第１期間における演出態様の変化の程度に比べて大きくするように構成したので、操作にもとづく演出態様の変化は画一的ではなく、遊技者の操作手段の操作に対する興味を高めて遊技の興趣を向上させることができる。
【手続補正６】
【補正対象書類名】明細書
【補正対象項目名】００２８
【補正方法】変更
【補正の内容】
【００２８】
また、演出態様制御手段が、段階予告演出において段階予告演出における発展タイミングになったときに演出装置の演出態様を発展させる制御が実行されない場合に、操作対応予告報知を開始するように構成すれば、段階予告演出において演出態様が発展しない場合であっても、操作対応予告報知による演出が続行されるので、予告演出の遊技の興趣を向上させることができる。
【手続補正７】
【補正対象書類名】明細書
【補正対象項目名】００２９
【補正方法】変更
【補正の内容】
【００２９】
また、演出態様制御手段が、段階予告演出実行手段によって制御された発展後の演出態様として操作対応予告報知を実行するように構成すれば、段階予告演出と操作対応予告報知が連動した予告演出が実現され、予告演出の遊技の興趣を向上させることができる。
【手続補正８】
【補正対象書類名】明細書
【補正対象項目名】００３０
【補正方法】変更
【補正の内容】
【００３０】
また、演出態様制御手段が、識別情報の変動が開始されてからリーチ状態になる前に操作対応予告報知を実行するように構成すれば、操作対応予告報知によって、リーチ状態になる前の識別情報の変動表示中における遊技の種類を増加させることができる。
【手続補正９】
【補正対象書類名】明細書
【補正対象項目名】００３１
【補正方法】変更
【補正の内容】
【００３１】
また、演出態様制御手段が、リーチ変動状態中に操作対応予告報知を実行するように構成すれば、操作対応予告報知によって、リーチ状態になった後の識別情報の変動表示中における遊技の種類を増加させることができる。
【手続補正１０】
【補正対象書類名】明細書
【補正対象項目名】００３２
【補正方法】変更
【補正の内容】
【００３２】
また、演出態様制御手段が、再抽選演出が実行されているときに操作対応予告報知を実行するように構成すれば、操作対応予告報知によって、再抽選演出における遊技の種類を増加させることができる。
【手続補正１１】
【補正対象書類名】明細書
【補正対象項目名】００３３
【補正方法】変更
【補正の内容】
【００３３】
また、演出態様制御手段が、有利状態としての大当り遊技状態において操作対応予告報知を実行するように構成すれば、操作対応予告報知によって、大当り遊技中における遊技の種類を増加させることができる。
【手続補正１２】
【補正対象書類名】明細書
【補正対象項目名】００３４
【補正方法】変更
【補正の内容】
【００３４】
また、演出示態様制御手段が、有利状態としての大当り遊技状態の終了後に操作対応予告報知を実行するように構成すれば、操作対応予告報知によって、大当り遊技が終了したときの遊技の種類を増加させることができる。
【手続補正１３】
【補正対象書類名】明細書
【補正対象項目名】００３５
【補正方法】変更
【補正の内容】
【００３５】
また、演出態様制御手段が、高確率示唆手段が示唆制御を行っているときに操作対応予告報知を実行するように構成すれば、遊技者が高確率状態であることを明確に把握できないときの遊技の種類を増加させることができる。